(57)【要約】【課題】レールの形状の自由度が高いレール玩具を低い価格で提供する。【解決手段】上方に向けて開口する多数の小孔６が縦方向と横方向とにそれぞれ一定の間隔をおいて並ぶように形成された少なくとも１枚の支持板２を備える。支持板２に支持されて支持板２の上面２ａに沿って延びるレール４を備える。支持板２の上面２ａで転動する左右一対の車輪（前輪１４、後輪１６）が前部と後部とにそれぞれ設けられ、左右一対の車輪がレール４の両側方で回転して支持板２の上をレール４に沿って走行する走行体３を備える。レール４は、小孔６に挿入可能なピン１１ｂを少なくとも２本有し、直線状に延びる少なくとも一つの第１のレール部材１１と、小孔６に挿入可能なピン１２ｂを少なくとも２本有し、円弧状に延びる少なくとも一つの第２のレール部材１２との少なくともいずれか一方によって構成されている。【選択図】  図１
0003225600.tif 000002
【実用新案登録請求の範囲】
【請求項１】
上方に向けて開口する多数の小孔が縦方向と横方向とにそれぞれ一定の間隔をおいて並ぶように形成された少なくとも１枚の支持板と、
前記支持板に支持されて前記支持板の上面に沿って延びるレールと、
前記支持板の上面で転動する左右一対の車輪が前部と後部とにそれぞれ設けられ、前記左右一対の車輪が前記レールの両側方で回転して前記支持板の上を前記レールに沿って走行する走行体とを備え、
前記レールは、
前記小孔に挿入可能なピンを少なくとも２本有し、直線状に延びる少なくとも一つの第１のレール部材と、
前記小孔に挿入可能なピンを少なくとも２本有し、円弧状に延びる少なくとも一つの第２のレール部材との少なくともいずれか一方によって構成されていることを特徴とするレール玩具。
【請求項２】
請求項１記載のレール玩具において、
前記支持板は、はめ込みパズルのピースと、前記ピースが嵌まる凹部を有するベース板とによって構成され、
前記多数の前記小孔は、前記ピースと前記ベース板とにそれぞれ設けられていることを特徴とするレール玩具。
【請求項３】
請求項１または請求項２記載のレール玩具において、
２枚の前記支持板が前記縦方向または前記横方向に並ベられ、
これら２枚の前記支持板のうちの一方の前記支持板の前記小孔と、他方の前記支持板の前記小孔とに、前記第１のレール部材または前記第２のレール部材の２本の前記ピンが挿入され、これらの２枚の前記支持板が前記第１のレール部材と前記第２のレール部材との少なくともいずれか一方を介して互いに連結されていることを特徴とするレール玩具。
【請求項４】
請求項１または請求項３のいずれか一つに記載のレール玩具において、
前記支持板の上面には絵柄が印刷され、
前記第１および第２のレール部材は、透明な材料によって形成されていることを特徴とするレール玩具。
【考案の詳細な説明】
【技術分野】
【０００１】
本考案は、走行体の走行方向を規定するレールを備えたレール玩具に関する。
【背景技術】
【０００２】
従来、走行体の走行方向を規定するレールを任意の形状に形成して遊ぶ玩具（以下、この種の玩具を単にレール玩具という）としては、例えば特許文献１や特許文献２に記載されているものがある。特許文献１に開示されたレール玩具は、走行体の走行方向を規定するレール溝が形成された複数のパズルピースを備えている。このレール玩具によれば、複数のパズルピースを組み合わせることによって、複数のレール溝が接続されて一つのレールが形成される。
【０００３】
特許文献２に開示されたレール玩具は、永久磁石のシートによって形成された複数のレール部材と、これらのレール部材が磁気によって吸着される板部材とを備えている。レール部材は、直線状に形成されたものと、湾曲した形状に形成されたものとが用いられている。このレール玩具によれば、レール部材を板部材に磁気によって貼り付けることにより、複数のレール部材が接続されて一つのレールが形成される。
【先行技術文献】
【特許文献】
【０００４】
【特許文献１】実公平６−２２３９１号公報
【特許文献２】実用新案登録第３１６８２０８号公報
【考案の概要】
【考案が解決しようとする課題】
【０００５】
特許文献１に記載されているレール玩具では、任意の形状のレールを作るにあたって、形状の自由度が低いという問題があった。この理由は、複数のパズルピースをレール溝どうしが互いに接続されるように組み合わせなければならないからである。このような不具合は、特許文献２に記載されているレール玩具のように、永久磁石製の複数のレール部材を板部材に貼り付ける構成を採ることによって、ある程度は解消することができる。
【０００６】
しかしながら、特許文献２に示すレール玩具では、全てのレール部材を永久磁石によって形成しなければならないし、レール部材が磁気によって吸着されるように、板部材に磁性材製の板を埋設しなければならない。このため、このレール玩具は、製造費用が高くなってしまい、高価なレール玩具になってしまう。
【０００７】
本考案の目的は、レールの形状の自由度が高いレール玩具を低い価格で提供することである。
【課題を解決するための手段】
【０００８】
この目的を達成するために本考案に係るレール玩具は、上方に向けて開口する多数の小孔が縦方向と横方向とにそれぞれ一定の間隔をおいて並ぶように形成された少なくとも１枚の支持板と、前記支持板に支持されて前記支持板の上面に沿って延びるレールと、前記支持板の上面で転動する左右一対の車輪が前部と後部とにそれぞれ設けられ、前記左右一対の車輪が前記レールの両側方で回転して前記支持板の上を前記レールに沿って走行する走行体とを備え、前記レールは、前記小孔に挿入可能なピンを少なくとも２本有し、直線状に延びる少なくとも一つの第１のレール部材と、前記小孔に挿入可能なピンを少なくとも２本有し、円弧状に延びる少なくとも一つの第２のレール部材との少なくともいずれか一方によって構成されているものである。
【０００９】
本考案は、前記レール玩具において、前記支持板は、はめ込みパズルのピースと、前記ピースが嵌まる凹部を有するベース板とによって構成され、前記多数の前記小孔は、前記ピースと前記ベース板とにそれぞれ設けられていてもよい。
【００１０】
本考案は、前記レール玩具において、２枚の前記支持板が前記縦方向または前記横方向に並ベられ、これら２枚の前記支持板のうちの一方の前記支持板の前記小孔と、他方の前記支持板の前記小孔とに、前記第１のレール部材または前記第２のレール部材の２本の前記ピンが挿入され、これらの２枚の前記支持板が前記第１のレール部材と前記第２のレール部材との少なくともいずれか一方を介して互いに連結されていてもよい。
【００１１】
本考案は、前記レール玩具において、前記支持板の上面には絵柄が印刷され、前記第１および第２のレール部材は、透明な材料によって形成されていてもよい。
【考案の効果】
【００１２】
本考案においては、第１のレール部材と第２のレール部材との少なくともいずれか一方のレール部材を並べることによってレールが形成されるから、レールの形状の自由度が高くなる。また、第１および第２のレール部材は、直線状あるいは円弧状に延びるレール部分とピンとによって形成できるから、樹脂材料からなる成型品として容易に製造することができる。
したがって、本考案によれば、レールの形状の自由度が高いレール玩具を低い価格で提供することができる。
【図面の簡単な説明】
【００１３】
【図１】図１は、本考案に係るレール玩具の平面図である。
【図２】図２は、支持板を示す図である。
【図３】図３は、第１のレール部材を示す図である。
【図４】図４は、第２のレール部材を示す図である。
【図５】図５は、走行体を示す図である。
【図６】図６は、支持板の変形例を示す斜視図である。
【図７】図７は、レール玩具の使用例を示す平面図である。
【図８】図８は、絵柄が印刷された支持板の一部と第１および第２のレール部材とを示す平面図である。
【考案を実施するための形態】
【００１４】
以下、本考案に係るレール玩具の一実施の形態を図１〜図５を参照して詳細に説明する。
図１に示すレール玩具１は、支持板２の上で走行体３をレール４に沿って走行させて遊ぶ玩具である。支持板２は、図２（Ａ），（Ｂ）に示すように、平面視において四角形の板状に形成されている。支持板２には、その上面２ａに開口する多数の小孔６が形成されている。図２（Ａ）は支持板２の平面図であり、図２（Ｂ）は図２（Ａ）におけるII−II線断面図である。
【００１５】
この実施の形態による支持板２の形状は、平面視において正方形である。この支持板２は、図２（Ｂ）に示すように、小孔６が形成された主板部材７と、主板部材７の下面に接着された平板状の底板部材８とによって構成されている。主板部材７と底板部材８は、それぞれ紙材料によって形成されている。なお、支持板２は、図示してはいないが、樹脂材料によって形成することができる。
【００１６】
小孔６は、主板部材７に貫通孔として形成されており、主板部材７に底板部材８が接着されることにより非貫通孔となる。また、小孔６は、支持板２の縦方向{図２（Ａ）においては上下方向}と横方向{図２（Ａ）においては左右方向}とにそれぞれ一定の間隔をおいて並ぶように形成されている。これらの小孔６は、縦方向および横方向においてそれぞれ所定の形成ピッチＤで並んでいる。支持板２の縦方向の端縁２ｂと、横方向の端縁２ｃは、最も近い小孔６の中心から形成ピッチＤの１／２に相当する距離だけ離れるように形成されている。
【００１７】
図１に示す支持板２に設けられるレール４は、複数の第１のレール部材１１と、複数の第２のレール部材１２とによって構成されており、支持板２に支持されて支持板２の上面２ａに沿って延びている。第１のレール部材１１と第２のレール部材１２は、それぞれ樹脂材料によって所定の形状に成型されている。
【００１８】
第１のレール部材１１は、図３（Ａ）〜（Ｃ）に示すように形成されている。図３（Ａ）は、第１のレール部材１１の平面図、図３（Ｂ）は、第１のレール部材１１の側面図、図３（Ｃ）は、図３（Ｂ）におけるIII−III線断面図である。この実施の形態による第１のレール部材１１は、直線状に延びる細帯状の本体１１ａと、本体１１ａの長手方向の両端部に一体成形により立設された２本のピン１１ｂとによって構成されている。
【００１９】
第１のレール部材１１の本体１１ａは、小孔６の形成ピッチＤの２倍の長さとなるように形成されている。ピン１１ｂは、円柱状に形成され、本体１１ａの下面に垂直に立てられており、下面から下方に向けて突出している。２本のピン１１ｂの中心間の距離は、小孔６の形成ピッチＤと等しい。ピン１１ｂの中心と、本体１１ａの長手方向の端縁１１ｃとの距離は、レール４を作る際に隣接するレール部材との干渉を避けるために、小孔６の形成ピッチＤの１／２以下となる距離である。ピン１１ｂの外径は、ピン１１ｂが支持板２の小孔６に挿抜自在に嵌合するような外径である。ピン１１ｂの長さＨ１は、支持板２の主板部材７の厚みｔ{図２（Ｂ）参照}、言い換えれば小孔６の深さより僅かに短い。このピン１１ｂが小孔６に挿入されることにより、第１のレール部材１１の本体１１ａが支持板２の上面２ａに沿って縦方向または横方向に延びるようになる。
【００２０】
この実施の形態による第２のレール部材１２は、図４（Ａ）〜（Ｃ）に示すように形成されている。図４（Ａ）は、第２のレール部材１２の平面図、図４（Ｂ）は、第２のレール部材１２の側面図、図４（Ｃ）は、図４（Ｂ）におけるIV−IV線断面図である。この実施の形態による第２のレール部材１２は、平面視において円弧状に延びる細帯状の本体１２ａと、本体１２ａの長手方向の両端部に一体成形により立設された２本のピン１２ｂとによって構成されている。
【００２１】
第２のレール部材１２の本体１２ａは、一端部１２ｃの延びる方向が他端部１２ｄの延びる方向に対して垂直になるように湾曲している。ピン１２ｂは、円柱状に形成され、第２のレール部材１２の本体１２ａの下面に垂直に立てられており、下面から下方に向けて突出している。２本のピン１２ｂは、本体１２ａの一端部１２ｃが延びる方向{図４（Ａ）においては左右方向}と、本体１２ａの他端部１２ｄが延びる方向{図４（Ａ）においては上下方向}とおいて、それぞれ小孔６の形成ピッチＤだけ互いに離間している。ピン１２ｂの中心と、本体１２ａの長手方向の端縁１２ｅとの距離は、レール４を作る際に隣接するレール部材との干渉を避けるために、小孔６の形成ピッチＤの１／２以下となる距離である。
【００２２】
ピン１２ｂの外径は、ピン１２ｂが支持板２の小孔６に挿抜自在に嵌合するような外径である。ピン１２ｂの長さＨ２は、支持板２の主板部材７の厚みｔより僅かに短い。このピン１２ｂが小孔６に挿入されることにより、第２のレール部材１２の本体１２ａが支持板２の上面２ａに沿って円弧状に延びるようになる。すなわち、第１のレール部材１１と第２のレール部材１２とを長手方向に繋がるように支持板２の上面２ａで並べることにより、レール４が所定の形状に形成される。
【００２３】
この実施の形態による走行体３は、図５（Ａ）〜（Ｃ）に示すように、箱状の車体１３と、車体１３の前部１３ａに回転自在に設けられた左右一対の前輪１４と、車体１３の内部に設けられた駆動ユニット１５と、駆動ユニット１５に支持されて車体１３の後部１３ｂに設けられた左右一対の後輪１６とを備えている。図５（Ａ）は走行体３の正面図、図５（Ｂ）は走行体３の平面図、図５（Ｃ）は走行体３の側面図である。
【００２４】
この実施の形態においては、左右一対の前輪１４と左右一対の後輪１６とが本考案でいう「左右一対の車輪」に相当する。前輪１４は、後輪１６より小径に形成され、車体１３に対して左右方向に傾くことがないように車体１３に支持されている。前輪１４の外径は、第１および第２のレール部材１１，１２を乗り越え難くなるような外径である。
駆動ユニット１５は、詳細には図示してはいないが、例えば、ぜんまいばねを動力源とするぜんまい駆動式のものや、電動モータを動力源とする電動式のもので、後輪１６を駆動して回転させる。なお、走行体３は、駆動ユニット１５を備えていなくてもよい。
【００２５】
左右一対の前輪１４と左右一対の後輪１６は、図５（Ａ）に示すように、レール４（第１および第２のレール部材１１，１２）の両側方に位置付けられて支持板２の上面２ａで転動する。前輪１４および後輪１６が支持板２に載せられた状態で回転することにより、走行体３が支持板２上を走行する。前輪１４は、走行時に第１、第２のレール部材１１，１２を容易には乗り越えることができない。このため、左右一対の前輪１４および後輪１６がレール４の両側方で回転することにより、走行体３が支持板２上をレール４に沿って走行することになる。
【００２６】
このように構成されたレール玩具１においては、第１のレール部材１１と第２のレール部材１２との少なくともいずれか一方のレール部材を支持板２の上で並べることによって、レール４が形成される。このため、レール４を所望の形状に形成するにあたって、レール４の形状の自由度が高い。また、第１および第２のレール部材１１，１２は、直線状あるいは円弧状に延びる本体１１ａ，１２ａ（レール部分）にピン１１ｂ，１２ｂが設けられた単純な形状に形成されているから、樹脂材料からなる成型品として容易に製造することができる。
したがって、この実施の形態によれば、レールの形状の自由度が高いレール玩具を低い価格で提供することができる。
【００２７】
（支持板の変形例）
支持板は、図６（Ａ）および図６（Ｂ）に示すように形成することができる。図６（Ａ），（Ｂ）において、図１〜図５によって説明したものと同一もしくは同等の部材については、同一符号を付し詳細な説明を適宜省略する。図６（Ａ）は、完成状態の支持板の斜視図であり、図６（Ｂ）は、一部のピースを外した状態を示す分解斜視図である。
【００２８】
図６（Ａ），（Ｂ）に示す支持板２は、はめ込みパズル２１となるように形成されており、はめ込みパズル２１の複数のピース２２〜２６と、これらのピース２２〜２６が嵌まる凹部３１〜３５を有するベース板３６とによって構成されている。ピース２２〜２６と凹部３１〜３５は、ピース２２〜２６が凹部３１〜３５に嵌まることによって日本地図となるように形成されている。ピース２２〜２６と、ベース板３６における凹部３１〜３５を除く部分には、多数の小孔６が形成されている。
【００２９】
図６（Ａ），（Ｂ）に示すように支持板２を形成することにより、はめ込みパズル２１を組立てて遊ぶことができるとともに、複数のピース２２〜２６の上を通るようにレール４（図示せず）を作って走行体３（図示せず）を走らせることができる。なお、支持板２をはめ込みパズル２１となるように形成する場合、ピース２２〜２６と凹部３１〜３５の形状は、上述した日本地図に限定されることはなく、適宜変更することができる。
【００３０】
（レール玩具の使用例）
図２および図６に示した支持板は、例えば図７に示すように使用することができる。図７において、図１〜図６によって説明したものと同一もしくは同等の部材については、同一符号を付し詳細な説明を適宜省略する。
図７に示すレール玩具４１は、４枚の支持板２を使用して構成されている。これらの支持板２は、縦方向に並ぶ２枚の支持板２からなる支持板列が横方向に２列となるように並べられている。これらの支持板２のうち、縦方向または横方向に互いに隣り合う２枚の支持板２は、第１のレール部材１１と第２のレール部材１２とを介して互いに連結されている。これら２枚の支持板２どうしを連結する第１、第２のレール部材１１，１２は、一方の支持板２の小孔６と、他方の支持板２の小孔６とに２本ずつのピン１１ｂ，１１ｂ，１２ｂ，１２ｂ（図示せず）が挿入されている。
【００３１】
また、図７に示す実施の形態によるレール４は、縦方向と横方向とに交差する交差点４２を有している。交差点４２は、レール４の途中に設けられた空のレール４３を交差させて構成されている。空のレール４３は、レール４を構成する二つのレール部材を長手方向に離間させて並べることによって形成されている。
このため、図７に示すレール玩具４１は、構成部品である第１、第２のレール部材１１，１２を使用して２枚の支持板２どうしを連結できるから、専用の連結構造が不要で、コストアップになることなく支持板２どうしを連結することができるものである。
【００３２】
（支持板と第１、第２のレール部材の変形例）
支持板および第１、第２のレール部材は、図８に示すように構成することができる。図８において、図１〜図４によって説明したものと同一もしくは同等の部材については、同一符号を付し詳細な説明を適宜省略する。
【００３３】
図８に示す支持板２は、上面２ａに絵柄５１が印刷されている。この支持板２に取付けられた第１のレール部材１１と第２のレール部材１２は、それぞれ透明な樹脂材料によって形成されている。このように透明な第１、第２のレール部材１１，１２を使用することにより、支持板２の絵柄５１が第１、第２のレール部材１１，１２を透かして見ることができるから、絵柄が損なわれることがないようにレール４を形成することが可能になる。
【００３４】
図１〜図８に示した実施の形態においては、第１のレール部材１１と第２のレール部材１２との両方を用いてレール４を形成する例を示した。しかし、本考案はこのような限定にとらわれることはなく、第１のレール部材１１のみによってレール４を形成したり、第２のレール部材１２のみによってレール４を形成することができる。
【００３５】
図１〜図８に示した実施の形態においては、第１のレール部材１１と第２のレール部材１２とにピン１１ｂ，１２ｂを２本ずつ設ける例を示した。しかし、ピン１１ｂ，１２ｂの本数は適宜変更することができる。例えば、第１のレール部材１１を３つの小孔６と重なるように相対的に長く形成し、この第１のレール部材１１に３本のピン１１ｂを設けことができる。また、第２のレール部材１２を３つの小孔６と重なるように平面視においてＵ字状に形成し、この第２のレール部材１２に３本のピン１２ｂを設けることができる。円弧状の第２のレール部材１２は、円弧の半径を大きくして長く形成することもできる。これらの長さや形状の異なるレール部材を組み合わせることにより、より一層複雑な形状のレール４を形成することが可能になる。
【００３６】
上述した実施の形態による支持板２は、平面視において正方形となる形状に形成されている。しかし、本考案は、このような限定にとらわれることはなく、支持板２の平面形状は適宜変更することができる。支持板２の平面形状は、四角形の他に三角形や、五角形、六角形などの多角形、円形、楕円形などでもよい。また、支持板２は、例えばジグソーパズルなどのパズルの一つのピースとなる形状に形成することもできる。
【符号の説明】
【００３７】
１，４１…レール玩具、２…支持板、２ａ…上面、３…走行体、４…レール、６…小孔、１１…第１のレール部材、１２…第２のレール部材、１１ｂ，１２ｂ…ピン、１４…前輪（車輪）、１６…後輪（車輪）、２１…はめ込みパズル、２２〜２６…ピース、３１〜３５…凹部、３６…ベース板、５１…絵柄。
【図１】
0003225600.tif 000003
【図２】
0003225600.tif 000004
【図３】
0003225600.tif 000005
【図４】
0003225600.tif 000006
【図５】
0003225600.tif 000007
【図６】
0003225600.tif 000008
【図７】
0003225600.tif 000009
【図８】
0003225600.tif 000010